(57)【要約】【課題】受信信号の録音・再生機能を備えた受信機において、一旦記憶させた受信信号を再生するときに、デジタル信号理によって混信成分やノイズ成分を充分除去できるようにすること。【解決手段】本発明にかかる受信機においては、受信信号をデジタル信号に変換するＡ／Ｄ変換部３と、Ａ／Ｄ変換部から出力されるデジタル信号をデジタル処理によって混信除去、ノイズ除去、及び検波処理する機能を備えたデジタル信号処理部４と、デジタル信号処理部から出力されるデジタル信号をアナログ信号に変換してＡＦ信号として出力するＤ／Ａ変換部５と、受信信号を記憶・読み出しする記憶手段７とを備え、信号受信時にはＡ／Ｄ変換部３から出力される受信信号を記憶手段７に記憶させ、信号再生時には記憶手段７に記憶させたデジタル信号を読み出して、デジタル信号処理部４によって混信除去、ノイズ除去、及び検波処理して、Ｄ／Ａ変換部５からＡＦ信号として出力するように構成した。【選択図】　　　　　図１
2004007235.tif 000002
【特許請求の範囲】
【請求項１】
受信信号をデジタル信号に変換するＡ／Ｄ変換部と、Ａ／Ｄ変換部から出力されるデジタル信号をデジタル処理によって混信除去、ノイズ除去、及び検波処理する機能を備えたデジタル信号処理部と、デジタル信号処理部から出力されるデジタル信号をアナログ信号に変換してＡＦ信号として出力するＤ／Ａ変換部とを備えた受信機において、
前記Ａ／Ｄ変換部から出力される受信信号を記憶する機能と記憶したデジタル信号を順次読み出して前記デジタル信号処理部へ出力する機能とを備えた記憶手段と、
信号受信時には前記Ａ／Ｄ変換部から出力される受信信号を前記記憶手段に記憶させ、信号再生時には前記記憶手段に記憶させたデジタル信号を読み出して、前記デジタル信号処理部によって混信除去、ノイズ除去、及び検波処理して、前記Ｄ／Ａ変換部からＡＦ信号として出力するように制御する制御手段と、
を備えたことを特徴とする受信機。
【発明の詳細な説明】
【０００１】
【発明の属する技術分野】
本発明は、受信信号を録音及び再生する機能を備えた受信機に関するものである。
【０００２】
【従来の技術】
図３は、受信信号を録音・再生する機能を備えた従来例の受信機のブロック図であり、図中、１００は高周波増幅、周波数変換、及び中間周波増幅等の処理を行う前段、１０１は前段１００を経由して得られた受信信号を検波してＡＦ信号を得る検波手段、１０２はＡ／Ｄ変換機能及びＤ／Ａ変換機能を備えた半導体メモリ等の記憶手段、１０３はＡＦ信号を増幅して出力する低周波処理段である。
図３の受信機において、受信信号を録音するときには、前段１００にて得られた受信信号を検波手段１０１にて検波してＡＦ信号を得て、このＡＦ信号をデジタル信号に変換して記憶手段１０２に蓄え、再生するときには、前記記憶手段１０２に蓄えたデータをアナログ信号に変換して得たＡＦ信号を、低周波処理段１０３にて増幅して再生出力するように構成されている。
【０００３】
【発明が解決しようとする課題】
ところが、上述したような従来の録音・再生機能を備えた受信機では、混信やノイズが存在している状態のＡＦ信号を記憶手段に蓄えた場合には、再生したＡＦ信号から不要な混信やノイズ成分を除去することは困難であった。
例えば、実際の使用例においては、受信中に受信信号から得たＡＦ信号を連続して記憶手段に記憶させておき、再確認する必要がある情報を受信した場合には、記憶手段に記憶させた受信信号を再生して再確認することがしばしば発生する。
しかし、再確認する必要があるＡＦ信号を再生しようとしたとき、たまたま、その信号に混信成分やノイズ成分が混入していた場合には、ＡＦ信号に変換されているので混信成分やノイズ成分を除去することが困難であった。
また、ＡＦ信号に変換された後で、混信成分やノイズ成分を除去しようとしても、受信回路のＡＧＣ処理によるレベルの抑圧処理を受けることによって、混信成分やノイズ成分のレベルによっては、必要な信号成分のレベル自体が低下することも発生する。
【０００４】
そこで、本発明は、一旦記憶させた受信信号を再生するときに、デジタル信号処理によって混信成分やノイズ成分を充分除去できるように構成した受信機の提供を目的としてなされたものである。
【０００５】
【課題を解決するための手段】
本発明にかかる受信機においては、
受信信号をデジタル信号に変換するＡ／Ｄ変換部と、Ａ／Ｄ変換部から出力されるデジタル信号をデジタル処理によって混信除去、ノイズ除去、及び検波処理する機能を備えたデジタル信号処理部と、デジタル信号処理部から出力されるデジタル信号をアナログ信号に変換してＡＦ信号として出力するＤ／Ａ変換部とを備えた受信機において、
前記Ａ／Ｄ変換部から出力される受信信号を記憶する機能と記憶したデジタル信号を順次読み出して前記デジタル信号処理部へ出力する機能とを備えた記憶手段と、
信号受信時には前記Ａ／Ｄ変換部から出力される受信信号を前記記憶手段に記憶させ、信号再生時には前記記憶手段に記憶させたデジタル信号を読み出して、前記デジタル信号処理部によって混信除去、ノイズ除去、及び検波処理して、前記Ｄ／Ａ変換部からＡＦ信号として出力するように制御する制御手段と、
を備えるという手段を講じた。
【０００６】
以上のように、受信時には検波する前のデジタル信号の状態で記憶するので、再生するときには、デジタル信号処理部による混信除去機能、ノイズ除去機能を利用することができる。
【０００７】
【発明の実施の形態】
以下に、本発明にかかる受信機を、その実施の形態を示した図面に基づいて詳細に説明する。
【０００８】
図１において、
１はアンテナ、２は前記アンテナにて受信した受信信号を高周波増幅するとともに中間周波数へ周波数変換して中間周波信号を出力する受信部、３は前記中間周波信号をデジタル信号へ変換するＡ／Ｄ変換部、４は受信信号をデジタル処理によってＡＦ信号に変換して出力するＤＳＰ部、５はＤＳＰ部４から出力されるデジタル信号をアナログ信号に変換するＤ／Ａ変換部、６はＤ／Ａ変換部５から出力されるＡＦ信号を処理する低周波処理部、７はデジタル信号を記憶し得るＲＡＭ等で構成された記憶部、９は各部を制御する制御部である。
なお、前記ＤＳＰ部４は特許請求の範囲におけるデジタル信号処理部に対応し、前記記憶部７は特許請求の範囲における記憶手段に対応し、前記制御部９は特許請求の範囲における制御手段に対応する構成である。
【０００９】
図１を参照して、録音動作を説明する。
受信信号を録音する場合は、Ａ／Ｄ変換部３から出力されるデジタル信号を、ＤＳＰ部４以降の通常の受信信号ラインで受信処理するとともに、Ａ／Ｄ変換部３から出力されるデジタル信号を記憶部７に記憶する。
前記通常の受信信号ラインにおいては、混信除去機能部４１、ノイズ除去機能部４２、ＡＧＣアンプ機能部４３、検波機能部４４によって信号処理する。
【００１０】
図２を参照して、再生動作を説明する。
記憶した受信信号を再生する場合は、記憶部７から順次読み出されるデジタル信号をＤＳＰ部４に入力して、混信除去機能部４１、ノイズ除去機能部４２、ＡＧＣアンプ機能部４３、検波機能部４４によって信号処理する。このようなＤＳＰ部４によるデジタル信号処理によって、高度な混信除去、ノイズ除去機能を利用することができるので、再確認する必要がある場合に混信成分やノイズ成分を除去して明瞭に再生することができる。
また、混信成分やノイズ成分を除去してからＡＧＣアンプ機能部４３によってＡＧＣ処理を施すので、必要な受信信号成分を抑圧することなく、検波機能部４４によってＡＦ信号を得ることができるのである。
なお、混信除去機能部４１はＩＦノッチフィルター機能の設定機能やノッチ機能を含み、ノイズ除去機能部４２はノイズリダクション機能やノイズブランカ機能を含む物である。
【００１１】
このように、録音した受信信号を再生するとき、ＤＳＰ部４によるデジタル信号処理によって、混信除去やノイズ除去機能の設定値を了解度が最大になるように設定することができるので、受信時には了解度が低かった受信信号であっても、再生時には充分な了解度を得ることができるのである。
【００１２】
通常の受信時に混信除去やノイズ除去の設定を行う場合には、これらの設定に必要な時間が長い場合には録音再生を行う必要は無いが、確認したい内容の受信信号が短い場合には、ひとまず録音しておいて、繰り返し再生を行いながら混信除去やノイズ除去を行い、受信信号の了解度を上げて必要な情報を得ることができるようになる。
【００１３】
また、従来であれば、混信成分やノイズ成分によってＡＧＣ機能が作動し、必要な受信信号成分を抑圧するような場合でも、本発明によれば、混信やノイズを除去した後にＡＧＣ機能が動作するので、再生されたＡＦ信号中の希望受信信号のレベルが高くなるという効果も得られる。
【００１４】
【発明の効果】
本発明では、検波する前のデジタル信号を記憶手段に記憶させることによって、再生するときにはデジタル信号処理による混信除去機能やノイズ除去機能を活用して混信成分やノイズ成分を充分除去できるようになった。
【図面の簡単な説明】
【図１】本発明にかかる受信機の実施の形態の構成および録音動作を説明する構成図である。
【図２】前記受信機の再生動作を説明する構成図である。
【図３】従来例の受信機の構成図である。
【符号の説明】
１　アンテナ
２　受信部
３　Ａ／Ｄ変換部
４　ＤＳＰ部、デジタル信号処理部
５　Ｄ／Ａ変換部
６　低周波処理部
７　記憶部、記憶手段
９　制御部、制御手段
【図１】
2004007235.tif 000003
【図２】
2004007235.tif 000004
【図３】
2004007235.tif 000005